(57)【要約】【課題】  本発明は、光ディスク装置においてＯＰＣを実行すべき契機を適正に判断するための方法を提供することを課題とする。【解決手段】  本発明は、ディスク装置に装着されたディスクの温度等に着目し、ＯＰＣを実行すべき契機を判断する。光ディスクが装着されてから所定の期間におけるレーザーパワー調整の実施間隔が、前記所定期間後のレーザーパワー調整の実施間隔より小さいことでＯＰＣを実行すべき適正な契機を得ることができる光ディスク装置とする。【選択図】  図１
2006209895.tif 000002
【特許請求の範囲】
【請求項１】
レーザーパワー調整を行う光ディスク装置において、
光ディスクが装着されてから所定の期間におけるレーザーパワー調整の実施間隔が、前記所定期間後のレーザーパワー調整の実施間隔より小さいことを特徴とする光ディスク装置。
【請求項２】
請求項１の光ディスク装置おいて、
レーザーパワー調整の実施間隔の切り替えを、
温度変化量、時間、記録データ量の何れか、あるいは、何れかの組み合せで行うことを特徴とする光ディスク装置。
【請求項３】
請求項１の光ディスク装置おいて、
レーザーパワー調整の実施間隔を、温度変化量、時間、記録データ量の何れか、あるいは何れかの組み合せに基づき決定することを特徴とする光ディスク装置。
【請求項４】
請求項１の光ディスク装置おいて、
レーザーパワー調整の実施間隔の切り替えを、
温度変化量、時間、記録データ量の何れか、あるいは、何れかの組み合せで行い、かつ、レーザーパワー調整の実施間隔を、温度変化量、時間、記録データ量の何れか、あるいは何れかの組み合せに基づき決定することを特徴とする光ディスク装置。
【請求項５】
請求項１の光ディスク装置おいて、
光ディスクの温度を検出するディスク温度検出手段を備え、前記ディスク温度検出手段により求めた温度に基きレーザーパワーの調整を行うことを特徴とする光ディスク装置。
【発明の詳細な説明】
【技術分野】
【０００１】
本発明は、光ディスク装置におけるレーザーパワー調整（Ｏｐｔｉｍｕｍ Ｐｏｗｅｒ Ｃｏｎｔｒｏｌ）に関する。
【背景技術】
【０００２】
光ディスクに情報を記録するためには、適正なレーザーパワーを照射する必要がある。通常、光ディスク装置では、ディスクに設けられた専用領域において試し書きを行い、情報が適正に記録されるレーザーパワーを決定するＯｐｔｉｍｕｍ Ｐｏｗｅｒ Ｃｏｎｔｒｏｌ（以下、ＯＰＣと呼ぶ）と呼ばれるレーザーパワー調整を行っている。また、温度管理の下、レーザーパワーを調整する装置がある。このことは、例えば、特許文献１に記載されている。
【０００３】
【特許文献１】特開平１１−７６４５号公報
【発明の開示】
【発明が解決しようとする課題】
【０００４】
従来の光ディスク装置におけるＯＰＣ実行契機の一例を図３に示す。図３は、縦軸を温度、横軸を時刻とするグラフである。図３において、３０１は、光ディスク装置内部の温度変化を表し、本例では、光ディスク装置において記録処理が行われることによって、装置内部の温度が時間を経るに従い上昇するものとしている。図３において、３０２、３０３、３０４、及び３０５はＯＰＣの実行契機となる時刻であり、３０２が初回のＯＰＣの実行契機である。図３において、３０６は、光ディスク装置に装着されたディスクの温度変化を表し、本例では、装置内部温度３０１と一定の温度差を持ち、装置内部の温度が上昇するに従ってディスクの温度が上昇するものとしている。
【０００５】
従来の光ディスク装置においては、図３に示すように、記録処理を開始するにあたり、時刻３０２において一度、ＯＰＣの実行によりレーザーパワーを適正化し、以降の記録処理において、装置内部の温度変化を監視し、所定の温度変化（例えば１０℃）が検出される契機毎に、即ち、時刻３０３、時刻３０４、時刻３０５においてＯＰＣを実行し、レーザーパワーを適正化するという方法を採用している。
【０００６】
上記の様なレーザーパワー調整は、例えば、図４に示す光ディスク装置の構成によって実現される。図４において４０１は光ディスク、４０２は光ディスク４０１を固定し回転させるスピンドルモータ、４０３はスピンドルモータを駆動するモータドライバ、４０４は光ディスク４０１にレーザー光線を照射する光ピックアップ、４０５は光ピックアップが内蔵するレーザーの駆動するレーザードライバ、４０６はレーザー近傍の温度を装置内部の代表温度として検出する温度センサであり、４０７は光ディスク装置全体を制御するシステムコントローラである。なお、光ディスク装置は上記以外の部位が存在するが、図４には説明の都合上、本発明に関連する部位のみの記載に留めている。
【０００７】
図４に示す光ディスク装置においては、ＯＰＣが実行される度に温度センサ４０６より装置内部の温度が検出され、検出された温度はＯＰＣ実行温度としてシステムコントローラ４０７に記憶される。また、記録処理を開始するにあたり温度センサ４０６より装置内部の温度が検出され、システムコントローラ４０７において検出された装置内部温度と記憶してあったＯＰＣ実行温度との差分が、所定値を超えているか否かの判定がなされ、所定値を超えていた場合は、記録処理に先駆けてＯＰＣが実行され、レーザーパワーの適正化が行われる。このようなＯＰＣ実行の要否判定は、図５に示す論理を、回路、または、ソフトウェアとして光ディスク装置に実装することで達成される。
【０００８】
図５において、１０１は記録処理を開始するにあたり検出される装置内部温度、１０２はＯＰＣ実行時に記憶されるＯＰＣ実行温度、１０３は装置内部温度１０１とＯＰＣ実行温度１０２と差分を検出する温度変化検出手段、１０４はＯＰＣ実行の要否を判定するための基準温度変化量、１０５は温度変化検出手段１０３により検出される温度変化と基準温度変化量１０４とを大小比較する比較手段である。ＯＰＣ実行の要否は比較手段１０５の出力をもって判断され、図５では基準温度変化量１０４を１０℃としており、装置内部温度１０１とＯＰＣ実行温度１０２との差分が１０℃を超えるとＯＰＣの実行が必要と判定される。
【０００９】
しかし、光ディスク装置の装置内部温度との温度差が大きい状態でディスクが装着され、ディスクの温度が急激に変化する場合は、例えば、図６に示すような状況においては従来の光ディスク装置では、レーザーパワーを適正に維持することが困難であった。本発明の目的は、図６に示すようなディスクの温度が急激に変化する状況においても適正にレーザーパワーを維持することである。本発明は、光ディスク装置においてＯＰＣを実行すべき契機を適正に判断するための方法を提供することを目的とする。
【課題を解決するための手段】
【００１０】
本発明は、ディスク装置に装着されたディスクの温度に着目し、ＯＰＣを実行すべき契機を判断する。上記目的は、特許請求範囲に記載の発明により達成される。
【発明の効果】
【００１１】
本発明により、光ディスク装置においてＯＰＣを適正な契機に行うことができる。
【発明を実施するための最良の形態】
【００１２】
本発明の実施例を以下に説明する。
【００１３】
図６は、図３に示したグラフと同様に、縦軸を温度、横軸を時刻としたグラフである。図６が図３と異なる点は、ディスク温度が６０１をもって示すように直線ではない点である。ディスク温度が図６に示す６０１となるような状況は、光ディスク装置の装置内部温度との温度差が大きい状態でディスクが装着された場合になどに発生する。このような状況下で記録を行うと、時刻３０２において初回ＯＰＣ実行が実行され、その後、所定値を越える装置内部の温度変化が検出され２回目のＯＰＣ実行される契機である時刻３０３までの間において、ディスクの温度が急激に変化する。
【００１４】
これにより、ディスクの記録条件が大きく変化するため、時刻３０２から時刻３０３のような状況下においては、装置内部の温度変化が、所定値を超えることを待たずしてレーザーパワーを適正化する必要がある。例えば、図７に７０１、７０２、及び７０３を以って示すような契機においてＯＰＣを実行するといったように、通常より頻繁にＯＰＣを実行する必要がある。
【００１５】
図７は、図６に示す時刻３０２から時刻３０３の部分を拡大し、同期間においてＯＰＣを実行すべき契機、時刻７０１、時刻７０２、及び時刻７０３を追加した図である。図７に示した時刻７０１、時刻７０２、及び時刻７０３は、装置内部の温度変化ではなく、ディスクの温度変化が所定値を超えた時点をＯＰＣ実行契機としたものである。
【００１６】
このように、ディスクの温度変化にも着目してＯＰＣ実行することで、ディスクの温度変化が激しい期間においてもレーザーパワーを適正に維持することができる。従来の光ディスク装置におけるＯＰＣ実行要否判定論理では、装置内部温度に着目した論理であったため、図７に示す時刻７０１、時刻７０２、及び時刻７０３においてＯＰＣの実行が必要と判定さることはなかった。
【００１７】
上記のようにディスク温度の監視の下、ＯＰＣの実行契機を判断するためには、ディスクの温度を検出する手段が必要である。が、本発明が提供する論理を採用することで、ディスク温度を検出する手段を備えずとも図７に示したのと同様に適切な契機にＯＰＣを実行することができる。このことを、図１を用いて説明する。
【００１８】
図１は、本発明が提供するＯＰＣ実行要否判定の論理である。図１は、図５に示したＯＰＣの実行要否判定論理に、新たな基準温度変化量である１０６と、基準温度変化量１０４と基準温度変化量１０６の何れか一方を選択し、比較手段１０５の入力とする選択手段１０７と、を追加したものである。基準温度変化量１０６は、基準温度変化量１０４に比較して小さな値となっており、図１においては基準温度変化量１０４を１０℃、基準温度変化量１０６を１℃としている。
【００１９】
光ディスク装置に光ディスクを装着した直後のようにディスクの温度変化が急激な期間、あるいは、ディスクの温度が激しく変わる可能性がある期間では、図１に示す選択手段１０７が基準温度変化量１０６（１℃）を選択するようにし、光ディスクの温度変化が落ち着いた時点で図１に示す選択手段１０７が基準温度変化量１０４（１０℃）を選択し、基準温度変化量１０４を通常に用いる基準温度変化量とする。
【００２０】
このように、ディスクが装着されてからの経過時間によってＯＰＣ実行要否判定に用いる基準温度変化量を切り替えれば、図６に示すような状況下においても、レーザーパワーを適正に維持することが可能である。基準温度変化量を切り替えるための経過時間は、ディスクの温度変化が緩やかになるに十分な時間とすればよく、これは、予め調査しておくことで決定することができる。
【００２１】
なお、経過時間を、記録を行ったデータ量に換算し、所定のデータ量を記録した場合に基準温度変化量を切り替えても良く、基準温度変化量の切り替えに用いるデータ量についても予め調査しておくことで決定することができる。
【００２２】
また、本発明が提供する図２に示すＯＰＣ実行要否判定論理を用いても、図１に示す論理と同様の効果を得ることができる。図２は、図５に示したＯＰＣの実行要否判定論理に、新たに基準温度変化量２０１、基準温度変化量２０２、基準温度変化量２０３、及び基準温度変化量２０４を追加したものである。
【００２３】
図２では、基準温度変化量２０１を１℃、基準温度変化量２０２を１℃、基準温度変化量２０３を３℃、そして、基準温度変化量２０４を５℃とした例を示している。図２に示す選択手段１０７は、初回ＯＰＣ実行後は、基準温度変化量２０１（１℃）を選択し、以降、ＯＰＣが実行される度に基準温度変化量２０２（１℃）、基準温度変化量２０３（３℃）、基準温度変化量２０４（５℃）というように順次選択する基準温度変化量を変え、最終的には基準温度変化量１０４（１０℃）を選択し、これを通常に用いる基準温度変化量とする。
【００２４】
このような論理をもってＯＰＣの実行要否を判定することによって、ディスク装着直後は、短い温度間隔でＯＰＣの実行が必要であると判定される。これによって、ディスク装着直後のディスク温度の変化が急激な期間であってもレーザーパワーを適正に維持することができる。図２では、通常の基準温度変化量である基準温度変化量１０４に到達すまでの基準温度変化量の数を４つとしたが、これに限定する必要はなく、レーザーパワーを適正に維持するために必要な個数とすれば良い。
【００２５】
以上の通り、本発明によれば、ディスクの温度変化が急激な期間においても、ディスクに適正に情報を記録するためのレーザーパワーを維持することが可能になる。図１、及び図２に示したＯＰＣ実行要否判定論理は、回路またはソフトウェアとして光ディスク装置に実装することで実現が可能である。特にソフトウェアとして実装する場合は、図４に示す構成の光ディスク装置においては、例えば、システムコントローラの制御ソフトウェアの論理拡張のみによって実現が可能である。
【００２６】
なお、上記説明では、基準温度変化量を通常より小さな値とすることで通常より頻繁にＯＰＣが実行されることを示したが、温度に限らず、時間またはデータ記録量をもってしてＯＰＣを頻繁に実行しても良い。例えば、ディスク装着後から所定の時間が経過するまでの期間は、３０秒経過する毎にＯＰＣを実行する、または、１０メガバイトのデータを記録する毎にＯＰＣを実行する、といったようにである。
【００２７】
また、ディスク装着後から所定時間が経過した後においても、温度に拘わらず、時間またはデータ記録量をもってＯＰＣ実行契機を決定しても良い。例えば、所定時間の経過以前は１分経過毎（所定データ量記録以前は１メガバイトのデータを記録する毎）にＯＰＣを実行し、所定時間経過後１０分毎（所定データ量記録以後は１０メガバイトのデータを記録する毎）にＯＰＣを実行するといったようにである。
【００２８】
また、図８に示すように、図４に示した従来の光ディスク装置にディスク温度測定手段８０１を追加すれば、ディスクの温度を直接監視できるようになる。このディスク温度測定手段８０１により検出されるディスク温度を、図１に示した選択手段１０７の切り替え判定に用いても良い。
【産業上の利用可能性】
【００２９】
本発明は、光ディスク装置において利用される。
【図面の簡単な説明】
【００３０】
【図１】本発明が提供するＯＰＣ実行要否判定論理。
【図２】本発明が提供するＯＰＣ実行要否判定論理。
【図３】光ディスク装置における装置内部温度、及びディスク温度の一例。
【図４】従来の光ディスク装置の構成。
【図５】従来の光ディスク装置におけるＯＰＣ実行要否判定論理。
【図６】光ディスク装置における装置内部温度、及びディスク温度の一例。
【図７】ディスクの温度変化が激しい状況下においてＯＰＣを実行すべき契機の一例。
【図８】本発明が提供する光ディスク装置の構成。
【符号の説明】
【００３１】
１０１・・・装置内部温度
１０２・・・ＯＰＣ実行温度
１０３・・・温度変化検出手段
１０４・・・基準温度変化量
１０５・・・比較手段
１０６・・・基準温度変化量
１０７・・・選択手段
２０１・・・基準温度変化量
２０２・・・基準温度変化量
２０３・・・基準温度変化量
２０４・・・基準温度変化量
３０１・・・光ディスク装置内部温度
３０２・・・時刻（ＯＰＣ実行契機）
３０３・・・時刻（ＯＰＣ実行契機）
３０４・・・時刻（ＯＰＣ実行契機）
３０５・・・時刻（ＯＰＣ実行契機）
３０６・・・光ディスク温度
４０１・・・光ディスク
４０２・・・スピンドルモータ
４０３・・・モータドライバ
４０４・・・光ピックアップ
４０５・・・レーザードライバ
４０６・・・温度センサ
４０７・・・システムコントローラ
６０１・・・光ディスク温度
７０１・・・時刻（ＯＰＣ実行契機）
７０２・・・時刻（ＯＰＣ実行契機）
７０３・・・時刻（ＯＰＣ実行契機）
８０１・・・ディスク温度検出手段
【図１】
2006209895.tif 000003
【図２】
2006209895.tif 000004
【図３】
2006209895.tif 000005
【図４】
2006209895.tif 000006
【図５】
2006209895.tif 000007
【図６】
2006209895.tif 000008
【図７】
2006209895.tif 000009
【図８】
2006209895.tif 000010